(57)【要約】【課題】撮像装置で撮影を行う際の画作りにおいて、簡素な構成で適正な画質調整が行えるようにすることを目的とする。【解決手段】被写体の光学像を電気信号に変換する撮像部１２０と、この撮像部１２０で生成されたアナログ信号の電気信号をデジタル信号の画像信号に変換するアナログ−デジタル変換部１３０と、このアナログ−デジタル変換部１３０でデジタル化された画像信号の画像処理を行う画像処理部１６０と、アナログ−デジタル変換部１３０でデジタル化された画像信号から静止画像を取得し、記憶部１４１に保存する制御部１４０とを備えた撮像装置１００において、画像処理部１６０に対し記憶部１４１に保存された静止画像を使用して画像処理を行わせる構成とする。【選択図】図２
2008053841.tif 000002
【特許請求の範囲】
【請求項１】
被写体の光学像を電気信号に変換する撮像部と、
前記撮像部で生成されたアナログ信号の電気信号をデジタル信号の画像信号に変換するアナログ−デジタル変換部と、
前記アナログ−デジタル変換部でデジタル化された画像信号の画像処理を行う画像処理部と、
前記アナログ−デジタル変換部でデジタル化された画像信号から静止画像を取得し、記憶部に保存する制御部とを備え、
前記画像処理部が、前記記憶部に保存された静止画像に対して画像処理を行う
ことを特徴とする撮像装置。
【請求項２】
前記アナログ−デジタル変換部からの画像信号を前記画像処理部へ出力するか、前記記憶部に保存された静止画像を前記画像処理部へ出力するかを切り替える切替え部を備える
ことを特徴とする請求項１に記載の撮像装置。
【請求項３】
画質調整を行う場合、前記切替え部を、前記記憶部に保存された静止画像を前記画像処理部へ出力する側に切り替える
ことを特徴とする請求項２に記載の撮像装置。
【請求項４】
前記切替え部が、前記記憶部に保存された静止画像を前記画像処理部へ出力する側に選択されている場合、前記切替え部を、前記アナログ−デジタル変換部からの画像信号を前記画像処理部へ出力する側に切り替える
ことを特徴とする請求項２に記載の撮像装置。
【請求項５】
前記画像処理部は、前記アナログ−デジタル変換部でデジタル化された画像信号に対して非線形処理を含む画像処理を行う
ことを特徴とする請求項１に記載の撮像装置。
【請求項６】
前記制御部は、前記アナログ−デジタル変換部でデジタル化された画像信号から静止画像を取得し、外部記録媒体に記録する
ことを特徴とする請求項１に記載の撮像装置。
【請求項７】
被写体の光学像を電気信号に変換するステップと、
アナログ信号の前記電気信号をデジタル信号の画像信号に変換するステップと、
前記デジタル信号の画像信号から静止画像を取得するステップと、
前記取得した静止画像を記憶部に保存するステップと、
前記記憶部に保存された静止画像を読み出して画質調整を行うステップと
を備えることを特徴とする画質調整方法。
【発明の詳細な説明】
【技術分野】
【０００１】
本発明は、例えば、撮影開始当初の画質調整のために静止画像を取り込むビデオカメラに適用して好適な撮像装置及び画質調整方法に関する。
【背景技術】
【０００２】
従来、プロフェッショナル業務用（以下、「プロ用」という）のビデオカメラは、撮影開始当初の画作りをする際に、被写体を撮影しながらその画像をモニタに表示し、明るさ、輪郭、肌色など各々のパラメータを調整して画像の色合い等を決めている。
【０００３】
ところで、上記画質の調整をしている期間は、被写体を固定しておく必要がある。しかし、被写体は人物や風景、動物など様々であるから、場合によっては固定しておくのが難しい場合もある。
【０００４】
そこで、上記被写体の固定が困難であるという問題を解決するため、時系列に連続する複数の画像データから１フレームの静止画像を抽出し、その静止画像を利用して画質を調整する手法が提案されている。
【０００５】
特許文献１に、現在の撮影画像と、記録しておいた再生画像から抽出した静止画像を合成して、画枠合わせや撮影位置合わせに利用する技術が記載されている。
【０００６】
【特許文献１】特開平９-２４７６０１号広報
【発明の開示】
【発明が解決しようとする課題】
【０００７】
しかしながら、従来手法において抽出される静止画像は、非線形処理（例えば、γ処理）が施された静止画像であった。この静止画像を用いて適切に画質を調整するには、一旦非線形処理が施された静止画像を、線形に戻す処理が必要であった。このように複雑な処理が必要であったため、実装されることがなかった。
【０００８】
本発明は斯かる点に鑑みてなされたものであり、撮像装置で撮影を行う際の画作りにおいて、簡素な構成で適正な画質調整が行えるようにすることを目的とする。
【課題を解決するための手段】
【０００９】
上記課題を解決するため、本発明は、被写体の光学像を電気信号に変換する撮像部と、この撮像部で生成されたアナログ信号の電気信号をデジタル信号の画像信号に変換するアナログ−デジタル変換部と、このアナログ−デジタル変換部でデジタル化された画像信号の画像処理を行う画像処理部と、アナログ−デジタル変換部でデジタル化された画像信号から静止画像を取得し、記憶部に保存する制御部とを備えた撮像装置において、画像処理部に対し記憶部に保存された静止画像を使用して画像処理を行わせる構成としたことを特徴とする。
【００１０】
上記構成によれば、画像処理前の画像信号から静止画像を取り込んで、当該静止画像を画質調整の画に使用するようにしたので、非線形処理した画像を線形に戻す等の複雑な処理が不要となる。
【発明の効果】
【００１１】
本発明によれば、撮像装置を使用した撮影に係る画作りにおいて、簡素な構成で適正な画質調整が行える。
【発明を実施するための最良の形態】
【００１２】
以下、本発明の実施の形態について、添付図面を参照しながら説明する。
【００１３】
図１は、本実施の形態における撮像装置としてのビデオカメラと、カメラコントロールユニット（以下、「ＣＣＵ」と称す。）との接続例を示す説明図である。ビデオカメラ１００は伝送ケーブル３００を介してＣＣＵ２００と接続してあり、伝送ケーブル３００には、トライアックスケーブルや光ファイバケーブル等を用いるものとする。
【００１４】
ビデオカメラ１００は、ビューファインダ１０１を備えており、ビューファインダ１０１はビデオカメラ１００が現在撮影している映像を表示する他、ビデオカメラ１００の設定情報やステータス情報等の制御情報を表示する。ビデオカメラ１００からＣＣＵ２００に伝送される情報としては、ビデオカメラ１００で撮像された映像信号や音声信号、ビデオカメラ１００の制御情報等があり、ＣＣＵ２００からビデオカメラ１００に伝送される情報としては、リターンビデオ信号、ビデオカメラ１００を制御するための制御信号等がある。
【００１５】
ビデオカメラ１００には、ＣＣＵ２００のオペレータと通信するためのインターカム（以下、「インカム」と称す。）１０２が設けてあり、このインカム１０２を構成するインカム用ヘッドホンとインカム用マイクロフォンとを用いて、ビデオカメラ１００の撮影者が、ＣＣＵ２００のオペレータと音声での通信を行える構成としてある。同様に、ＣＣＵ２００にもビデオカメラ１００との通信用のインカム用ヘッドホンとインカム用マイクロフォンから構成されたインカム２０２を備えてある。
【００１６】
ＣＣＵ２００は、画質調整や電源の供給を行うとともに、モニタ２０１に映像を表示する。オペレータは、モニタ２０１に映し出された映像を見ながら、ビデオカメラ１００の撮影者に対しインカム２０２を使用して指示を出すことができる。あるいは、ＣＣＵ２００に設けられた操作部もしくはコントロールパネルを操作してビデオカメラ１００に制御信号を送り、直接制御することもできる。例えば、ＣＣＵ２００からビデオカメラ１００に対する指示の例として、画像信号の録画、静止画像の取り込み、静止画像取り込みモードから通常撮影モードへの復帰、などがある。
【００１７】
次に、図２のブロック図を参照して、ビデオカメラ１００の概略構成について説明する。図２に示したビデオカメラ１００は、本発明の概念を説明するため模式的に表現したものである。ビデオカメラ１００は、被写体の光学像（被写体像）の撮像を行うレンズブロック１１０と、レンズブロック１１０から出力される画像信号の画像処理を行うカメラブロック１７０とで構成されている。
【００１８】
ビデオカメラ１００は、レンズブロック１１０により被写体の像を撮像素子１２０に結像し、撮像素子１２０は光電変換を行い後段のアナログ−デジタル変換部（Ａ／Ｄ）１３０にアナログ信号の電気信号を出力する。撮像素子１２０における上記処理は、Ｒ（赤），Ｇ（緑），Ｂ（青）の３原色ごとに行われる。
【００１９】
撮像素子１２０は、結像された被写体像を、ＲＧＢの３原色ごとに光電変換し、アナログ信号の電気信号（画像信号）をＡ／Ｄ１３０に入力する。Ａ／Ｄ１３０は、入力された各３原色のアナログ信号の電気信号を各々デジタル信号の画像信号に変換する。そして、デジタル信号化した画像信号をＡ／Ｄ１３０から切替え部１５０へ出力する。
【００２０】
一方、記録手段１４０は、Ａ／Ｄ１３０から出力された画像信号を取り込んで、時系列に連続する複数の画像データから１フレームの静止画像を抽出し、抽出した静止画像をカメラブロック１７０に内蔵するメモリ１４１に保存する。そして、記録手段１４０は、指示に従い、メモリ１４１に保存した静止画像を読み出して切替え部１５０に出力する。メモリ１４１は、ＳＤＲＡＭ（Synchronous Dynamic Random Access Memory）等の揮発性のメモリ、又は、フラッシュメモリなどの不揮発性のメモリを使用できる。
【００２１】
切替え部１５０は、Ａ／Ｄ１３０の系統と、記録手段１４０の系統の切替えを行うものである。すなわち、切替え部１５０がいずれの系統に切り替わるかによって、Ａ／Ｄ１３０から供給された画像信号が画像処理部１６０へ出力されるか、メモリ１４１に保存された静止画像が画像処理部１６０へ出力されるかが決定される。なお、Ａ／Ｄ１３０から切替え部１５０に接続する信号線をＡ／Ｄ１３０側系統、記録手段１４０から切替え部１５０に接続する信号線を記録手段１４０側系統とし、Ａ／Ｄ１３０から切替え部１３０、画像処理部１６０へと接続する系統を、「カメラ本線」と称する。
【００２２】
画像信号処理部１６０は、Ａ／Ｄ１３０から供給される画像信号、又は、記録手段１４０から供給される静止画像に対して、撮影者やオペレータ等の指示に基づいて、又は予め設定された設定値に基づき種々の画像処理を行い、ＣＣＵ２００のモニタ２０１やビューファインダ等１０１に出力する。ここでの画像処理とは、撮影初期における画作りに関する画像処理を示す。例えば、ＲＧＢの色のバランスを変えることや、暗い部分の色合いを調整する等の画質に関する処理である。
【００２３】
上記の記録手段１４０は、常にデジタル信号の画像信号（ビデオ信号）が入力されており、通常は画像を記録していないが、静止画像取り込みのコマンドを受信すると、１フレームの静止画像を記録手段１４０に設けられているメモリ１４１に保存する。
また、画像信号から取り込んだ静止画像をカメラ本線に出力する場合、切替え部１５０をＡ／Ｄ１３０側系統から記録手段１４０側系統に切り替え、メモリ１４１に保存された静止画像を出力する。
さらに、静止画像をメモリ１４１に保存した状態において通常の画像信号による映像をモニタ２０１で見たい場合は、記録手段１４０側系統になっている切替え部１５０のスイッチを、カメラ本線側へ切り替える。
【００２４】
図３は、ビデオカメラ１００の変形例を示したものである。図３に示すビデオカメラは、図２に示したビデオカメラに対して、記録手段１４０がカメラ本線上の画像信号から１フレームの静止画像を取り込み、取り込んだ静止画像を、カメラブロック１７０に装着された外部の記録媒体１８０に保存できる構成としたものである。このように、静止画像を半導体メモリからなるメモリカード等の独立した記録媒体に保存することにより、何種類もサンプル画像を持つことができ、電源をオフしても消えないので、いつでもどこでも保存した静止画像を見ることができる。また、画質調整用としてだけでなく、画質調整の基準画像となるような静止画像を記録媒体に記録しておくことで、カメラシステムやモニタのためのテスト信号（テスト画像）としても使用することができる。保存された基準となるテスト画像とテスト実施時の画像を比較することで、カメラシステムやモニタの現在の状態を把握できる。
【００２５】
次に、図２及び図３に示したビデオカメラ１００について、さらに詳細に説明する。
【００２６】
図４は、本発明の一実施の形態に係るビデオカメラの回路構成例を示すものである。ビデオカメラ１００は、図２及び図３に示したように、被写体の光学像（被写体像）の撮像を行うレンズブロック１１０と、レンズブロック１１０から出力される画像信号の画像処理を行うカメラブロック１７０とで構成されている。レンズブロック１１０は、撮像レンズに入射した被写体像を撮像素子１２０（図２参照）の撮像面上に合焦させるためのフォーカスレンズを含むレンズ群（図示略）と、各レンズを駆動するためのレンズ駆動機構（図示略）、レンズ駆動機構の動きを制御するレンズ駆動部（図示略）等を用いて構成される。
【００２７】
本例では、撮像素子１２０に３板式を採用し、三原色の色ごとに、すなわちＲ（赤），Ｇ（緑），Ｂ（青）に対応する撮像素子１２２Ｒ，１２２Ｇ，１２２Ｂから撮像素子１２０を構成している。これら各色に対応する撮像素子は、レンズブロック１１０から導入された入射光が結像される撮像素子基板平面上に所定の規則で配列され、２次元のイメージ領域を形成しているものである
【００２８】
レンズブロック１１０の後段に設けられた色分解プリズム１２１は、レンズブロック１１０からの入射光をＲ，Ｇ，Ｂの３原色に色分解してそれぞれを、Ｒ成分の光をＲ成分用の撮像素子１２２Ｒに、Ｇ成分の光をＧ成分用の撮像素子１２２Ｇに、Ｂ成分の光をＢ成分用の撮像素子１２２Ｂに入力する。各撮像素子１２２Ｒ，１２２Ｇ，１２２Ｂは、各々結像された被写体の像を光電変換し、それぞれの電気信号をアナログ−デジタル変換部（Ａ／Ｄ）１３０へ出力する。各撮像素子には、例えば、ＣＣＤ（Charge Coupled Devices）、又はＣＭＯＳ（Complementary Metal Oxide Semiconductor）等を使用する。
【００２９】
Ａ／Ｄ１３０は、入力されたＲＧＢ３原色のアナログ信号の電気信号に対し、相関二重サンプリング等を行ってリセット雑音を除去し、各々デジタル信号の画像信号に変換する。そして、デジタル化した画像信号をＡ／Ｄ１３０から画像信号生成部１４３へ出力する。ここで、Ａ／Ｄ１３０の前段に図示しないプリアンプ機能を設け、入力されたアナログ信号の電気信号のレベルを増幅するようにしてもよい。
【００３０】
画像信号生成部１４３は、各撮像素子１２２Ｒ，１２２Ｇ，１２２Ｂから出力されたデジタル信号のＲＧＢ画像信号に信号処理を施して、所定規格の画像信号を生成する。そして、生成したＲＧＢ画像信号を切替え部１５０に出力する。また、画像信号生成部１４３は、画像信号生成部１４３は、内部にスイッチ１４４を備えており、制御部１４２で発行される制御信号に従いスイッチ１４４をオン又はオフし、切替え部１５０への画像信号の出力を制御する。また、タイミングジェネレータに対し、基準タイミング発生指示を出力する。なお、画像信号生成部１４３は、入力された各色の画像信号のゲイン調整や黒レベルの安定化、ダイナミックレンジの調整等を行い、得られた画像信号を切替え部１５０に供給するようにしてもよい。さらに、供給されたＲＧＢの画像信号に対し、テレビジョン画像信号としてのエンコード処理を行い、例えばコンポジット形態、Ｙ／Ｃ形態、あるいはコンポーネント形態などによる画像信号を出力するようにしてもよい。
【００３１】
タイミングジェネレータ１４５は、画像信号生成部１４３から発行される基準タイミング発生指示に従い、所定のタイミング信号を生成し、基準信号発生部（図示略）へ供給する。基準信号発生部は、上記所定のタイミング信号に基づいて、ビデオカメラ１００における各部の動作の基準となる垂直同期信号ＶＤ，水平同期信号ＨＤ及び基準信号ＣＬＫ等を含む基準信号（駆動信号）を生成する。そして、垂直同期信号ＶＤ，水平同期信号ＨＤ及び基準信号ＣＬＫ等を含み、被写体像を光電変換するための基準信号（駆動信号）を、基準信号発生部から各色の撮像素子を駆動させる撮像素子駆動部（図示略）へ供給する。なお、上記各部の動作の基準となる基準信号（駆動信号）の生成及び供給は、周知技術を利用して種々の構成を採用することができる。
【００３２】
制御部１４２は、前述の記録手段１４０の一構成要素であり、例えばマイクロコンピュータで構成される。制御部１４２は、画像信号生成部１４３と画像処理部１６０の間に設けられた切替え部１５０と並列に接続されてビデオカメラ１００全体の制御を行う。すなわち、画像信号生成部１４３から出力されるＲＧＢの画像信号から１フレーム分の静止画像データを取り込み、メモリ１４１又は記録媒体１８０に保存する。また、撮影者等からの指示に従い、切替え部１５０に対して信号系統の切替えを行うための切替え信号を出力したり、画像信号生成部１４３に対する制御信号等を出力したりする。
【００３３】
切替え部１５０は、制御部１５０が発行する切替えコマンド（切替え信号）に従い、太線で示した画像信号生成部１４３側の系統（カメラ本線）、又は、制御部１４２側の系統の切替えを行う。すなわち、系統を切り替えることにより、画像信号生成部１４３から出力されるＲＧＢの画像信号、あるいはメモリ１４１に保存された静止画像、のいずれを画像処理部１６０へ供給するか切り替えることができる。
【００３４】
画像処理部１６０は、画像処理用ＩＣから構成され、切替え部１５０からのＲＧＢの画像信号、又は制御部１４２からの静止画像を受信し、γ補正などの非線形処理を含む画質調整のための種々の画像処理を行い、出力端子１７１へ出力する。画像処理部１６０で画像処理された画像データは、出力端子１７１を介して、ビデオカメラ１００に備え付けられているビューファインダ１０１やＣＣＵ２００のモニタ２０１に表示される。具体的には、例えば、画像信号のあるレベル以上を圧縮するニー補正、画像信号のレベルを設定されたγカーブに従って補正するγ補正、画像信号の信号レベルが所定範囲となるように制限するホワイトクリップ処理やブラッククリップ処理等を行う。また画像信号処理部１６０では、輪郭強調処理やリニアマトリクス処理、所望のフォーマット形式の出力画像信号を生成するためのエンコード処理等を行う。
【００３５】
なお、画像信号生成部１４３、画像処理部１６０は、前述した基準信号発生部（図示略）から得られる垂直同期信号ＶＤ，水平同期信号ＨＤ及び基準信号ＣＬＫを用いて所定の処理を行う。あるいは、各々の処理部に供給される画像信号に同期した各同期信号及び基準信号を用いて所定の処理を行うようにしてもよい。
【００３６】
操作部１７２は、１個以上のスイッチ群で構成され、撮影者からの操作を受け付ける。制御部１４２で操作部１７２からの操作入力を検知すると、その指示に応じた処理が行われる。さらに、制御部１４２は、ＣＣＵ２００が発行する制御信号（コマンド）の有無も監視しており、当該制御信号を検知すると、その内容に応じた処理を行う。この例では、静止画像取り込み用のファンクションキーＦ１、静止画像取り込みモードから通常の撮影に戻るためのファンクションキーＦ２などが設けられている（図１参照）。
【００３７】
次に、図４に示したビデオカメラ１００の動作について説明する。
【００３８】
通常撮影モードにおいて、レンズブロック１１０から取り込まれた被写体像は、色分解プリズム１２１でＲＧＢの各色に分解され、ＲＧＢのそれぞれに対応した撮像素子１２２Ｒ，１２２Ｇ，１２２ＢでＲＧＢの色ごとに電気信号に変換される。ＲＧＢ各色の電気信号（アナログ信号）は、Ａ／Ｄ１３０に入力され、ここでデジタル信号に変換されて画像信号生成部１４３へ出力される。そして、画像信号生成部１４３に入力されたＲＧＢの電気信号は、所定規格の画像信号に加工され、切替え部１５０を経由して画像処理部１６０へと出力される。画像処理部１６０に入力されたＲＧＢの画像信号は、所定の画像処理が行われた後、外部へ出力されてモニタ２０１及びビューファイダ１０１の表示画面に表示される。
【００３９】
上記通常撮影モードのとき、切替え部１５０のスイッチは画像信号生成部１４３側（カメラ本線）に設定されている。制御部１４２には、切替え部１５０のスイッチの状態に係わらず、常に画像信号生成部１４３からのＲＧＢの画像信号が入力されているが、静止画像の取り込みは実施しない。
【００４０】
続いて、静止画像の取り込み時の動作について説明する。オペレータによりＣＣＵ２００からビデオカメラ１００に静止画像取り込みのコマンドが発行された場合、あるいはインカム１０２を用いてオペレータの指示を受けた撮影者がファンクションキーＦ１を押下した場合、静止画像取り込みモードに移行する。制御部１４２は、静止画像取り込み指示を検知すると、画像信号生成部１４３が出力する画像信号から画質調整用に１フレームの静止画像データを取り込み、内臓のメモリ１４１、又は記録媒体１８０に保存する。これと同時に、制御部１４２は、切替え部１５０に対して切替え指示を出力し、切替え部１５０のスイッチを制御部１４２側へと切り替える。これにより、画像信号生成部１４３から出力された画像信号の画像処理部１６０への供給が停止する。制御部１４２は、メモリ１４１又は記録媒体１８０に保存された画質調整用の静止画像を読み出し、画像処理部１６０へ出力する。
【００４１】
画像処理部１６０へ入力された画質調整用の静止画像は、ビューファインダ１０１、及びＣＣＵ２００（図１）と接続されたモニタ２０１に表示される。オペレータは、モニタ２０１に表示された静止画像を見て、ＣＣＵ２００のコントロールパネル等から画質調整のためのコマンドをビデオカメラ１００に送出し、静止画像の画質を調整する。あるいは、インカム２０２を使用して、撮影者に指示を出し、画質調整を行わせる。
【００４２】
上記静止画像取り込みモードから通常の撮影モードに切り替える場合は、撮影者がビデオカメラ１００のファンクションキーＦ２を押下するか、又は、オペレータがＣＣＵ２００のコントロールパネルを操作する。これらの操作内容に対応する切替え信号が制御部１４２から切替え部１５０に送信されると、切替え部１５０がスイッチを画像信号生成部１４３側（カメラ本線）に戻し、モニタ２０１及びビューファインダ１０１に通常の撮影モード時の映像が表示される。あるいは、上記静止画像の取り込み後、自動的に通常の撮影モードに切り替わるように構成してもよい。
【００４３】
以上のように構成された本発明によると、撮影開始当初の画質調整（画作り）においてモデルや役者等の被写体に掛かる負担を減らすことができる。また、動物など撮影者の意思が通じない被写体を撮影する場合は、一度静止画像を取り込むだけで画作りが行える。例えば、動物はその場で静止していることが難しいので、画質調整に時間をかけられないが、本発明の方法であれば、その問題を解決できる。また、画質調整用に静止画像を取り込み保存しておくようにしたので、必要なときに読み出して画質調整を実施することができる。さらに、取り直しが発生した場合でも、取り直し以前の静止画像を内蔵のメモリ又は記録媒体に保存してあるため、当該保存しておいた静止画像を画枠合わせや撮影位置合わせに使用することができるので、以前と同じ構図を再現できる。したがって、取り直し時の画作りが円滑に行える。
【００４４】
また、上記画質調整用の静止画像の取り込みにあたっては、撮像素子から出力されたアナログ信号をデジタル信号に変換した直後の画像信号から１フレーム分を抽出して取り出すようにしたので、画質調整の効率が向上する。
【００４５】
なお、上記実施の形態では、制御部がオペレータ又は撮影者の操作入力を検知して静止画像の取り込みを実施するように構成したが、通常の撮影を開始すると同時に始めに１フレームの静止画像を自動的に内蔵メモリ又は記録媒体に取り込むように設定してもよい。
【００４６】
その他、本発明は、上述した実施の形態の例に限定されるものではなく、ビデオカメラに代えて、撮影部分と録画部分が一体となったいわゆるカムコーダに適用するなど、本発明の要旨を逸脱しない範囲において、種々の変形、変更が可能であることは勿論である。
【図面の簡単な説明】
【００４７】
【図１】本発明の一実施形態に係るビデオカメラの使用例を示す説明図である。
【図２】本発明の一実施形態に係るビデオカメラの概略構成を示すブロック図である。
【図３】本発明の実施形態の変形例に係るビデオカメラの概略構成を示すブロック図である。
【図４】本発明の一実施形態に係るビデオカメラの構成を示す回路図である。
【符号の説明】
【００４８】
１００…ビデオカメラ、１１０…レンズブロック、１２０…撮像素子、１２１…色分解プリズム、１２２Ｒ，１２２Ｇ，１２２Ｂ…撮像素子、１３０…Ａ／Ｄ、１４０…記録手段、１４１…メモリ、１４２…制御部、１４３…画像信号生成部、１４４…スイッチ部、１４５…タイミングジェネレータ、１５０…切替え部、１６０…画像処理部、１７０…カメラブロック、１７１…出力端子、１７２…操作部、１８０…記録媒体
【図１】
2008053841.tif 000003
【図２】
2008053841.tif 000004
【図３】
2008053841.tif 000005
【図４】
2008053841.tif 000006